(57)【要約】【課題】水の滞留を防止し、施工時間を短縮すること。【解決手段】階段状の複数の段部１１1、段部１１2および段部１１3を有する階段状コンクリート基部１０と、複数の段部１１1、段部１１2および段部１１3のそれぞれに形成された複数の台座１２11、台座１２12、台座１２13等と、台座１２11、台座１２12、台座１２13等にそれぞれ設置された複数の段石１４1、段石１４2および段石１４3とを備え、複数の段石１４1、段石１４2および段石１４3は、隣接する段石との間に隙間Ｓ１、隙間Ｓ２をもって設置されている。【選択図】        図１
2005307555.tif 000002
【特許請求の範囲】
【請求項１】
階段状の複数の段部を有する基部と、
前記複数の段部のそれぞれに形成された台座と、
前記複数の段部の台座にそれぞれ設置された複数の段石とを備え、
前記複数の段石は、隣接する段石との間に隙間をもって設置されていること、
を特徴とする階段構造物。
【請求項２】
前記複数の段石は、複数の台座にそれぞれ立設されたピンに挿入されていることを特徴とする請求項１に記載の階段構造物。
【請求項３】
階段状の複数の段部を有する基部を形成する第１の工程と、
前記複数の段部のそれぞれに台座を形成する第２の工程と、
前記複数の段部の台座に複数の段石をそれぞれ設置する第３の工程とを含み、
前記第３の工程では、隣接する段石と段石との間に隙間ができるように前記複数の段石を設置すること、
を特徴とする階段構造物施工方法。
【発明の詳細な説明】
【技術分野】
【０００１】
本発明は、階段構造物および階段構造物施工方法に関するものであり、特に、水の滞留を防止することができ、施工時間を短縮することができる階段構造物および階段構造物施工方法に関するものである。
【背景技術】
【０００２】
従来より、階段構造物を施工する場合には、階段状にコンクリート基部を打設した後、コンクリート基部の各段部に、階段の各段に対応するブロック状の段石を設けている。段石間の隙間は、モルタル等で封止されている。
【０００３】
【特許文献１】特開２００１−２２７１２６号公報
【発明の開示】
【発明が解決しようとする課題】
【０００４】
しかしながら、従来の階段構造物においては、段石間に隙間が無いため、雨が降ったり、水がまかれると、段石の表面に長時間に亘って水が滞留する場合があるという問題があった。また、従来の階段構造物においては、１個あたりの段石が非常に重いため（数十キロ〜数百キロ）、施工に時間を要するという問題もあった。
【０００５】
本発明は、上記に鑑みてなされたものであって、水の滞留を防止することができ、施工時間を短縮することができる階段構造物および階段構造物施工方法を提供することを目的とする。
【課題を解決するための手段】
【０００６】
上述した課題を解決し、目的を達成するために、本発明は、階段状の複数の段部を有する基部と、前記複数の段部のそれぞれに形成された台座と、前記複数の段部の台座にそれぞれ設置された複数の段石とを備え、前記複数の段石は、隣接する段石との間に隙間をもって設置されていること、を特徴とする。
【０００７】
また、本発明は、階段状の複数の段部を有する基部を形成する第１の工程と、前記複数の段部のそれぞれに台座を形成する第２の工程と、前記複数の段部の台座に複数の段石をそれぞれ設置する第３の工程とを含み、前記第３の工程では、隣接する段石と段石との間に隙間ができるように前記複数の段石を設置すること、を特徴とする。
【発明の効果】
【０００８】
本発明によれば、段石と段石との間に隙間ができるように、複数の段石を設置することとしたので、水の滞留を防止することができる。また、本発明によれば、台座を段部に形成し、台座に段石を設置することとしたので、従来のように、段部に段石を設置する場合に比して、段石の高さを低くでき、軽量化を図ることができるため、施工時間を短縮することができる。
【発明を実施するための最良の形態】
【０００９】
以下に、本発明にかかる階段構造物および階段構造物施工方法の実施例を図面に基づいて詳細に説明する。なお、この実施例によりこの発明が限定されるものではない。
【実施例】
【００１０】
図１は、本発明にかかる一実施例による階段構造物１の構成を示す側面図である。図２は、図１に示した階段構造物１の構成を示す平面図である。図３は、図２に示したＡ−Ａ’線視断面図である。
【００１１】
図１に示した階段構造物１は、階段が必要な場所（坂）に施工されている。この階段構
造物１において、階段状コンクリート基部１０は、階段状の段部１１1〜１１3を有するコンクリート製の基部である。
【００１２】
図２および図３に示したように、段部１１2には、所定間隔をおいて１対の台座１２21および１２22が形成されている。図３に示したピン１３21は、台座１２21および段部１１2に立設されている。ピン１３22は、台座１２22および段部１１2に立設されている。
【００１３】
また、図２に示した段部１１1にも、段部１１2（図３参照）と同様にして、所定間隔をおいて１対の台座１２11および１２12が形成されている。ピン１３11は、台座１２11および段部１１1に立設されている。ピン１３12は、台座１２12および段部１１1に立設されている。
【００１４】
さらに、段部１１3にも、段部１１2（図３参照）と同様にして、所定間隔をおいて１対の台座１２31および１２32が形成されている。ピン１３31は、台座１２31および段部１１3に立設されている。ピン１３32は、台座１２32および段部１１3に立設されている。
【００１５】
図２に示した段石１４1〜１４3は、直方体形状をしており、段部１１1〜１１3に対応付けられている。ここで、段石１４1の裏面側には、ピン１３11および１３12に対応する各位置に挿入穴１５11および１５12が形成されている。段石１４2の裏面側にも、ピン１３21および１３22に対応する各位置に挿入穴１５21および１５22（図３参照）が形成されている。段石１４3の裏面側にも、ピン１３31および１３32に対応する各位置に挿入穴１５31および１５32が形成されている。
【００１６】
ここで、図１に示した段石１４1〜１４3は、隙間Ｓ１（距離Ｄ１）および隙間Ｓ２（距離Ｄ２）ができるような幅とされている。また、図２に示した段石１４1は、段部１１1における台座１２11および台座１２12に、ピン１３11およびピン１３12が挿入穴１５11および挿入穴１５12に挿入されるようにして、モルタル１６11および１６12を介して設置されている。すなわち、段石１４1は、図１に示したように、下駄を履いた状態で設置されている。従って、段部１１1の表面と段石１４1の裏面との間には、隙間が形成されている。
【００１７】
同図に示した段石１４2は、段部１１2における台座１２21および台座１２22に、ピン１３21およびピン１３22が挿入穴１５21および挿入穴１５22に挿入されるようにして、モルタル１６21および１６22を介して設置されている。すなわち、段石１４2は、下駄を履いた状態で設置されている。従って、段部１１2の表面と段石１４2の裏面との間には、隙間が形成されている。
【００１８】
同様にして、段石１４3は、段部１１3における台座１２31および台座１２32に、ピン１３31およびピン１３32が挿入穴１５31および挿入穴１５32に挿入されるようにして、モルタル１６31および１６32を介して設置されている。すなわち、段石１４3は、下駄を履いた状態で設置されている。従って、段部１１3の表面と段石１４3の裏面との間には、隙間が形成されている。
【００１９】
ここで、図１において、雨が降った場合には、段石１４2および段石１４3に降った雨水は、同図破線矢印で示したように、隙間Ｓ２から段部１１2の表面と段石１４2の裏面との隙間（図３参照）に流れ込み、さらに下段の段部１１1に流れる。なお、隙間Ｓ１等にも雨水が流れ込む。
【００２０】
以上説明したように、一実施例によれば、段石１４1〜１４3を隙間Ｓ１および隙間Ｓ２を設けるように設置することとしたので、水の滞留を防止することができる。また、一実施例によれば、図３に示したように、台座１２21および１２22を段部１１2に形成し、これらの台座１２21および１２22に段石１４2を設置することとしたので、従来のように、段部に段石を設置する場合に比して、段石の高さを低くでき、軽量化を図ることができるため、施工時間を短縮することができる。
【産業上の利用可能性】
【００２１】
以上のように、本発明にかかる階段構造物および階段構造物施工方法は、水はけの良さを要求される階段等に対して有用である。
【図面の簡単な説明】
【００２２】
【図１】本発明にかかる一実施例による階段構造物１の構成を示す側面図である。
【図２】図１に示した階段構造物１の構成を示す平面図である。
【図３】図２に示したＡ−Ａ’線視断面図である。
【符号の説明】
【００２３】
１  階段構造物
１０  階段状コンクリート基部
１１1〜１１3  段部
１２11〜１２32  台座
１４1〜１４3  段石
【図１】
2005307555.tif 000003
【図２】
2005307555.tif 000004
【図３】
2005307555.tif 000005